(57)【要約】【課題】本発明は、企業側が移動機における送受信以外の状況を容易に把握することができる。【解決手段】本発明は、移動機１０又は移動機管理装置２６からの指示に基づいて、移動機１０の位置又は受信電力を含む移動機管理情報を移動機１０毎に検出する移動交換局２３と、移動交換局２３で検出された移動機管理情報を取得する送受信部２６１と、送受信部２６１で取得された移動機管理情報に基づいて、移動機管理情報を移動機１０毎に記憶する移動機管理情報データベース２６５とを備える。【選択図】      図１
2004187046.tif 000002
【特許請求の範囲】
【請求項１】
複数の移動機と基地局とが第一接続網に接続され、前記移動機の位置、受信電力を含む移動機管理情報を管理する移動機管理装置と前記基地局とが第二接続網に接続され、前記移動機管理装置が前記第二接続網に接続された前記基地局を介して前記移動機の前記移動機管理情報を管理する移動機管理システムであって、
前記移動機又は前記移動機管理装置からの指示に基づいて、前記移動機の位置又は受信電力を含む移動機管理情報を前記移動機毎に検出する第一検出手段を有し、
前記移動機管理装置は、
前記第一検出手段で検出された前記移動機管理情報を取得する第一取得手段と、
前記第一取得手段で取得された前記移動機管理情報に基づいて、該移動機管理情報を前記移動機毎に記憶する移動機管理情報記憶手段と
を有することを特徴とする移動機管理システム。
【請求項２】
請求項１に記載の移動機管理システムであって、
前記移動機の内部における処理状態を検出する第二検出手段を有し、
前記第一取得手段は、前記第二検出手段で検出された前記処理状態を取得し、
前記移動機管理情報記憶手段は、前記第一取得手段で取得された前記処理状態を含む前記移動機管理情報を前記移動機毎に記憶する
ことを特徴とする移動機管理システム。
【請求項３】
請求項１又は請求項２のいずれかに記載の移動機管理システムであって、
前記移動機管理装置とクライアント端末とが第三接続網に接続され、前記クライアント端末を特定するための認証情報と前記移動機を特定する移動機識別子に対応付けられた前記移動機管理情報とが前記移動機管理情報記憶手段に予め複数記憶されており、
前記移動機管理装置は、
前記移動機管理情報の取得を要求するための要求情報を前記クライアント端末から受信する受信手段と、
前記受信手段で受信された要求情報に含まれるクライアント識別子に基づいて、予め記憶された前記各認証情報の中から、前記クライアント識別子と一致する前記認証情報を特定する認証手段と、
前記認証手段で前記認証情報が特定されたときは、前記受信手段で受信された前記要求情報に含まれる移動機識別子に基づいて、該移動機識別子に対応付けられた前記移動機管理情報を前記移動機管理情報記憶手段から取得する第三取得手段と、
前記第三取得手段で取得された前記移動機管理情報を前記クライアント端末に送信する送信手段と
を有することを特徴とする移動機管理システム。
【請求項４】
複数の移動機と基地局とが第一接続網に接続され、前記移動機の位置、受信電力を含む移動機管理情報を管理する移動機管理装置と前記基地局とが第二接続網に接続され、前記第二接続網に接続された前記基地局を介して前記移動機の前記移動機管理情報を管理する移動機管理装置であって、
前記移動機で検出された前記移動機管理情報を取得する第一取得手段と、
前記第一取得手段で取得された前記移動機管理情報に基づいて、該移動機管理情報を前記移動機毎に記憶する移動機管理情報記憶手段と
を有することを特徴とする移動機管理装置。
【請求項５】
請求項４に記載の移動機管理装置であって、
前記第一取得手段は、前記移動機の内部における処理状態を該移動機から取得し、
前記移動機管理情報記憶手段は、前記第一取得手段で取得された前記処理状態を含む前記移動機管理情報を前記移動機毎に記憶する
ことを特徴とする移動機管理装置。
【請求項６】
請求項４又は請求項５のいずれかに記載の移動機管理装置であって、
前記移動機管理装置とクライアント端末とが第三接続網に接続され、前記クライアント端末を特定するための認証情報と前記移動機を特定する移動機識別子に対応付けられた前記移動機管理情報とが前記移動機管理情報記憶手段に予め複数記憶され、
前記移動機管理情報の取得を要求するための要求情報を前記クライアント端末から受信する受信手段と、
前記受信手段で受信された要求情報に含まれるクライアント識別子に基づいて、予め記憶された前記各認証情報の中から、前記クライアント識別子と一致する前記認証情報を特定する認証手段と、
前記認証手段で前記認証情報が特定されたときは、前記受信手段で受信された前記要求情報に含まれる移動機識別子に基づいて、該移動機識別子に対応付けられた前記移動機管理情報を前記移動機管理情報記憶手段から取得する第三取得手段と、
前記第三取得手段で取得された前記移動機管理情報を前記クライアント端末に送信する送信手段と
を有することを特徴とする移動機管理装置。
【請求項７】
複数の移動機と基地局とが第一接続網に接続され、前記移動機の位置、受信電力を含む移動機管理情報を管理する移動機管理装置と前記基地局とが第二接続網に接続され、前記第二接続網に接続された前記基地局を介して前記移動機の前記移動機管理情報を管理する移動機管理制御方法であって、
前記移動機で検出された前記移動機管理情報を取得する第一工程と、
前記第一工程で取得された前記移動機管理情報に基づいて、該移動機管理情報を前記移動機毎に記憶する第二工程と
を有することを特徴とする移動機管理制御方法。
【請求項８】
請求項７に記載の移動機管理制御方法であって、
前記第一工程では、前記移動機の内部における処理状態を該移動機から取得し、
前記第二工程では、前記第一工程で取得された前記処理状態を含む前記移動機管理情報を前記移動機毎に記憶する
ことを特徴とする移動機管理制御方法。
【請求項９】
請求項７又は請求項８のいずれかに記載の移動機管理制御方法であって、
前記移動機管理装置とクライアント端末とが第三接続網に接続され、前記クライアント端末を特定するための認証情報と前記移動機を特定する移動機識別子に対応付けられた前記移動機管理情報とが予め複数記憶され、
前記移動機管理情報の取得を要求するための要求情報を前記クライアント端末から受信する第三工程と、
前記第三工程で受信された要求情報に含まれるクライアント識別子に基づいて、予め記憶された前記各認証情報の中から、前記クライアント識別子と一致する前記認証情報を特定する第四工程と、
前記四工程で前記認証情報が特定されたときは、前記第三工程で受信された前記要求情報に含まれる移動機識別子に基づいて、該移動機識別子に対応付けられた前記移動機管理情報を取得する第五工程と、
前記第五工程で取得された前記移動機管理情報を前記クライアント端末に送信する第六工程と
を有することを特徴とする移動機管理制御方法。
【発明の詳細な説明】
【０００１】
【発明の属する技術分野】
本発明は、複数の移動機と基地局とが第一接続網に接続され、移動機の位置、受信電力を含む移動機管理情報を管理する移動機管理装置と基地局とが第二接続網に接続され、移動機管理装置が第二接続網に接続された基地局を介して移動機の移動機管理情報を管理する移動機管理システム、移動機管理装置及び移動機管理制御方法に関する。
【０００２】
【従来の技術】
従来から移動機の利用状況を把握することができる装置が提案されている（例えば、特許文献１参照）。これにより、移動機の利用者側は、移動機の回線事業者に頼らず、移動機の利用状況を把握することができる。
【０００３】
【特許文献１】
特開平５−２８４２１４号公報（第３−５頁、第１図）
【０００４】
【発明が解決しようとする課題】
しかしながら、上記従来からの装置では、移動機における送受信の状況については把握することができるが、送受信以外の状況をリアルタイムで把握することはできなかった。この際、移動機の利用者側が送受信以外の状況を把握するのではなく、移動機を管理する企業側が移動機における送受信以外の状況をリアルタイムで把握したいというニーズがあった。
【０００５】
そこで、本発明は以上の点に鑑みてなされたものであり、企業側が移動機における送受信以外の状況を容易に把握することのできる移動機管理システム、移動機管理装置及び移動機管理制御方法を提供することを課題とする。
【０００６】
【課題を解決するための手段】
本願に係る発明は、上記課題を解決すべくなされたものであり、複数の移動機と基地局とが第一接続網に接続され、移動機の位置、受信電力を含む移動機管理情報を管理する移動機管理装置と基地局とが第二接続網に接続され、移動機管理装置が第二接続網に接続された基地局を介して移動機の移動機管理情報を管理する際に、移動機又は移動機管理装置からの指示に基づいて、移動機の位置又は受信電力を含む移動機管理情報を移動機毎に検出し、検出された移動機管理情報を取得し、取得された移動機管理情報に基づいて移動機管理情報を移動機毎に記憶することを特徴とする。
【０００７】
このような本願に係る発明によれば、移動機管理装置が、移動機における位置又は受信電力を含む移動機管理情報を取得することができるので、移動機を管理する企業側は、移動機管理装置を通じて移動機の移動機管理情報を容易に把握することができる。これにより、企業側が移動機を従業員に貸出した際には、企業側は、移動機管理情報に含まれる移動機の位置に基づいて、例えば従業員が確実に出張先に出向いているか否かを容易に把握することができる。
【０００８】
上記発明においては、移動機の内部における処理状態を検出し、検出された処理状態を取得し、取得された処理状態を含む移動機管理情報を移動機毎に記憶することが好ましい。この場合には、移動機管理装置が移動機の内部における処理状態を記憶することができるので、移動機を管理する企業側は、移動機管理装置を通じて移動機の処理状態を容易に把握することができる。
【０００９】
これにより、企業側は、移動機の処理状態として、例えば利用者側が移動機にデータを入力している状態、移動機に格納されているデータが表示部に表示されている状態等を容易に把握することができる。この結果、企業側は、現在利用者側では何が行われているのかを容易に把握することができる。
【００１０】
上記発明においては、移動機管理装置とクライアント端末とが第三接続網に接続され、クライアント端末を特定するための認証情報と移動機を特定する移動機識別子に対応付けられた移動機管理情報とが移動機管理情報記憶手段に予め複数記憶されており、移動機管理情報の取得を要求するための要求情報をクライアント端末から受信し、受信された要求情報に含まれるクライアント識別子に基づいて、予め記憶された各認証情報の中から、クライアント識別子と一致する認証情報を特定し、認証情報が特定されたときは、受信された要求情報に含まれる移動機識別子に基づいて、移動機識別子に対応付けられた移動機管理情報を移動機管理情報記憶手段から取得し、取得された移動機管理情報をクライアント端末に送信することが好ましい。
【００１１】
この場合には、移動機管理装置は、認証が成功したクライアント端末にのみ該当する移動機管理情報を送信するので、移動機管理情報を管理する際のセキュリティを高めることができる。
【００１２】
【発明の実施の形態】
（移動機管理システムの基本構成）
本発明に係る移動機管理システムについて図面を参照しながら説明する。図１は、本実施形態に係る移動機管理システムの概略構成図である。
【００１３】
図１に示すように、移動機管理システムは、移動機１０と基地局２１とが第一接続網（無線網）に接続され、移動機１０の位置、受信電力を含む移動機管理情報を管理する移動機管理装置２６と基地局２１とが第二接続網（移動体通信網２０内）に接続され、移動機管理装置２６が第二接続網に接続された基地局２１を介して移動機１０の移動機管理情報を管理するものである。
【００１４】
この移動機管理システムは、本実施形態では、移動機１０と、移動体通信網２０と、通信ネットワーク３０と、クライアント端末４０と、状態監視装置５０と、サービス端末６０とを備える。移動体通信網２０は、基地局２１と、基地局制御装置２２と、移動交換局２３と、加入者データベース２４と、関門交換局２５と、移動機管理装置２６とを備える。尚、移動体通信網２０にある移動機管理装置２６及びアプリケーション情報を特定する移動機１０以外の各構成は従来の制御方式の一部を利用することができる。
【００１５】
基地局２１は、移動機１０と基地局制御装置２２との間で行われるデータの送受信を中継するものである。通信ネットワーク３０（第三接続網）は、クライアント端末４０又は状態監視装置５０と移動機管理装置２６とを接続するものである。この通信ネットワーク３０は、例えばＩＰ網が挙げられる。
【００１６】
基地局制御装置２２は、基地局２１と移動交換局２３との間で行われるデータの送受信を中継するものである。移動交換局２３は、移動機１０又は移動機管理装置２６からの指示に基づいて、移動機１０の位置又は受信電力を含む移動機管理情報を移動機毎に検出するものである。
【００１７】
加入者データベース２４は、移動交換局２３で検出された位置又は受信電力を管理するものである。関門交換局２５は、公衆電話網等の固定ネットワークと相互接続を行うものである。クライアント端末４０は、移動機管理装置２６に記憶されている移動機管理情報を取得するものである。
【００１８】
前記移動機管理装置２６は、本実施形態では、図２に示すように、送受信部２６１と、状態制御部２６２と、認証データベース２６３と、制御データベース２６４と、移動機管理情報データベース２６５と、送受信部２６６とを備える。
【００１９】
送受信部２６１は、移動交換局２３又は加入者データベース２４で検出された移動機管理情報を取得するものである。送受信部２６６は、移動機管理情報の取得を要求するための取得要求をクライアント端末４０から受信するものである。また、送受信部２６６は、移動機管理情報データベース２６５に記憶された移動機管理情報を該当するクライアント端末４０又は状態監視装置５０に送信するものである。
【００２０】
状態制御部２６２は、送受信部２６６で受信された要求情報に含まれるクライアント識別子に基づいて、予め記憶された各認証情報の中から、そのクライアント識別子と一致する認証情報を特定するものである。このクライアント識別子は、予めクライアント端末４０に付与されるものである。このクライアント識別子は、例えば、パスワード、クライアント端末４０のＩＰアドレス等が挙げられる。
【００２１】
ここで、認証データベース２６３は、予め認証情報を複数記憶するものである。この認証情報は、本実施形態では、図３に示すように、例えば、移動機管理情報を取得するサービスを受けるためのサービスＩＤ、移動機１０の電話番号、クライアント端末４０の要求元アドレス、パスワード等の各認証識別子が挙げられる。
【００２２】
尚、この状態制御部２６２は、送受信部２６６で受信された要求情報に含まれるクライアント識別子に含まれる二以上の認証識別子に基づいて、その二以上の認証識別子を含む認証情報を特定してもよい。これにより、状態制御部２６２は、移動機管理情報を管理する際のセキュリティをより高めることができる。
【００２３】
この認証情報を特定した状態制御部２６２は、送受信部２６６で受信された要求情報に含まれる移動機識別子に基づいて、移動機識別子に対応付けられた移動機管理情報を移動機管理情報データベース２６５から取得する。この移動機管理情報を取得した状態制御部２６２は、取得した移動機管理情報を送受信部２６６に出力する。
【００２４】
送受信部２６６は、入力された移動機管理情報を該当するクライアント端末４０に送信する。ここで、移動機管理情報は、本実施形態では、図４に示すように、移動機情報とアプリケーション情報とが含まれる。これらの移動機管理情報とアプリケーション情報とは、移動機識別子（移動機ＩＤ等）が対応付けられている。
【００２５】
この移動機情報は、例えば、移動機管理装置２６が移動交換局２３又は加入者データベース２４から移動機情報を取得した最終の日時を示す「最終取得日時」、移動機１０の位置を示す「位置情報」、移動機１０が基地局２１の電波到達範囲内にあるか否かを示す「圏内／圏外」、移動機１０が他の移動機１０との通信状況を示す「ステータス」、移動機１０の受信電力を示す「電波状況」が挙げられる。
【００２６】
アプリケーション情報は、移動機１０の内部における処理状態を意味するものである。このアプリケーション情報は、例えば、利用者が移動機１０にデータを入力している状態を示す「お客様データ入力中」、利用者がデータを移動機１０に保存している状態を示す「お客様データ保存中」、利用者が移動機１０を通じてデータを他の移動機１０に送信している状態を示す「お客様データ送信中」、利用者が移動機１０にある表示部にデータを表示させている状態を示す「お客様データ閲覧中」等が挙げられる。
【００２７】
このアプリケーション情報は、移動機１０が検出する。具体的に、移動機１０は、操作部（図示せず）、表示部（図示せず）、データ格納部（図示せず）等の各内部状態を常に監視し、この各部の処理状態を逐一検出する。この内部状態を検出した移動機１０は、移動機管理装置２６からの指示に応じて、検出した内部状態を基地局２１を介して送受信部２６１に送信する。状態制御部２６２は、送受信部２６１で受信した移動機管理情報（移動機情報又はアプリケーション情報）を移動機毎に移動機管理情報データベース２６５に記憶させる。
【００２８】
移動機管理装置２６が移動交換局２３又は加入者データベース２４から移動機管理情報を取得する際には、状態制御部２６２は、移動機管理装置２６における制御状況を制御データベース２６４に記憶させる。この制御データベース２６４には、図５に示す「制御情報テーブル」が記憶されている。
【００２９】
図５に示すように、制御情報テーブルは、移動機管理情報を取得するサービスを受けるためのサービスＩＤ、送受信部２６１で取得する情報を示す「取得内容」、取得内容に対する制御状況を示す「取得状況」、取得内容を要求するクライアント端末４０のアドレスを示す「要求元アドレス」等の制御情報（制御状況）が挙げられる。
【００３０】
前記状態監視装置５０は、移動機管理装置２６に記憶されている移動機管理情報の更新状況を監視し、移動機管理情報が更新された際には、その更新された移動機管理情報を取得し、取得した移動機管理情報をクライアント端末４０に通知するものである。
【００３１】
具体的に、状態監視装置５０は、図６に示すように、各移動機管理情報のうち、移動機のステータスが更新（同図中の斜線部分）された時には、その更新された部分についての移動機管理情報を取得する。この更新された移動機管理情報を取得した状態監視装置５０は、取得した移動機管理情報をクライアント端末４０に記憶させる。
【００３２】
尚、本発明は、上記実施形態に限定されるものではなく、図７に示すように、サービス端末６０を備えてもよい。上記移動機管理装置２６が通常の通信方式でアプリケーション情報を取得するためには、移動機管理装置２６はごく限られた条件（▲１▼アプリケーションが動作しているＰＣ／ＰＤＡ７０の電源が入っていること、▲２▼移動機１０の電源が入った状態でその移動機１０とＰＣ／ＰＤＡ７０間との間で通信接続（有線・無線を問わず）がなされていること）を満たしていることが必要である。
【００３３】
このため、移動機管理装置２６は、移動機１０又はＰＣ／ＰＤＡ７０と、移動機管理装置２６との間で通信接続が確立されていなければ、その移動機１０又はＰＣ／ＰＤＡ７０からアプリケーション情報を取得することができない。そこで、本発明は、この問題を回避するためにサービス端末６０を備えた。
【００３４】
サービス端末６０は、移動機１０又は移動体通信網２０とサービス端末６０との間でアプリケーション情報を送受信する送受信部６１と、サービス端末６０を制御するサービス制御部６２と、移動機１０から受信したアプリケーション情報を記憶するアプリケーション情報データベース６３とを備える。この送受信部６１は、Ｂｌｕｅｔｏｏｔｈによる通信方式を用いて移動機１０又はＰＣ／ＰＤＡ７０からアプリケーション情報を逐一受信することができる。
【００３５】
このサービス端末６０は、移動機１０又はＰＣ／ＰＤＡ７０で検出されたアプリケーション情報を取得するものである。このサービス端末６０は、移動機管理装置２６からの要求に応じて、取得したアプリケーション情報を移動機管理装置２６に送信する。
【００３６】
これにより、サービス端末６０は、移動機１０又はＰＣ／ＰＤＡ７０の電源が入っていない状態（移動機１０とＰＣ／ＰＤＡ７０との間の通信接続が切れた状態）においても、移動機１０又はＰＣ／ＰＤＡ７０の過去におけるアプリケーション情報を記憶させておくことができる。この結果、移動機管理装置２６は、移動機１０又はＰＣ／ＰＤＡ７０の電源が入っていない状態であっても、サービス端末６０から最新のアプリケーション情報を取得することができる。
【００３７】
（移動機管理システムを用いた移動機管理制御方法）
上記構成を有する移動機管理システムによる移動機管理制御方法は以下の手順により実施することができる。以下に示す移動機情報は、通常の移動体通信網２０内にある移動交換局２３又は加入者データベース２４等で特定されるものである。
【００３８】
（１）クライアント端末４０が移動機管理装置２６から移動機管理情報を取得するまでの手順（移動機１０の電源がＯＮであり、且つ移動機１０が登録エリア内に在圏しているとき）
図８は、クライアント端末４０が移動機管理装置２６から移動機管理情報を取得するまでの手順を示す図である。本手順は、移動機１０が移動交換局２３からの呼び出し要求に応答した場合の処理を示している。すなわち、この手順は、移動機１０が移動体通信網２０内に電源ＯＮの状態で在圏している場合の処理を示している。尚、移動交換局２３は、移動機１０からの呼び出し応答により、移動機１０の基地局セクター単位で位置情報を取得可能である。
【００３９】
図８に示すように、先ず、クライアント端末４０が移動機管理情報を要求するための取得要求（要求情報）を移動機管理装置２６に送信する（Ｓ１０１）。クライアント端末４０から取得要求を受信した移動機管理装置２６は、受信した取得要求を移動交換局２３に送信する（Ｓ１０２）。
【００４０】
移動機管理装置２６から取得要求を受信した移動交換局２３は、受信した取得要求に基づいて、該当する移動機１０を呼び出す処理を行う（Ｓ１０３）。その後、移動交換局２３は、呼び出した移動機１０からの応答があったときは、移動交換局２３と加入者データベース２４との間で通信条件を確立させる（Ｓ１０４〜Ｓ１０６）。
【００４１】
この通信条件が確立させた移動交換局２３は、応答のあった移動機１０の位置登録エリアを通知する。移動交換局２３から位置登録エリアの通知を受けた加入者データベースは、その位置登録エリアを登録する（Ｓ１０７）。この位置登録エリアを登録した加入者データベースは、登録した位置登録エリアを移動機管理装置２６に通知する（Ｓ１０８）。加入者データベース２４から位置登録エリアを受信した移動機管理装置２６は、受信した位置登録エリアを含む移動機情報を該当するクライアント端末４０に送信する（Ｓ１０９）。
【００４２】
（２）クライアント端末４０が移動機管理装置２６から移動機管理情報を取得するまでの手順（移動機１０の電源がＯＦＦ又は移動機１０が登録エリア内に在圏していないとき）
図９は、クライアント端末４０が移動機管理装置２６から移動機管理情報を取得するまでの手順を示す図である。本手順は、移動機１０が移動交換局２３からの呼び出し要求に応答しない場合の処理を示している。すなわち、この手順は、移動機１０が移動体通信網２０内に電源ＯＦＦ又は登録エリア内に在圏していない場合の処理を示している。
【００４３】
図９に示すように、先ず、クライアント端末４０が移動機管理情報を要求するための取得要求を移動機管理装置２６に送信する（Ｓ２０１）。クライアント端末４０から取得要求を受信した移動機管理装置２６は、受信した取得要求を移動交換局２３に送信する（Ｓ２０２）。
【００４４】
移動機管理装置２６から取得要求を受信した移動交換局２３は、受信した取得要求に基づいて、該当する移動機１０を呼び出す処理を行う（Ｓ２０３）。その後、移動交換局２３は、呼び出した移動機１０からの応答がないときは、その移動機１０からの応答がないことを示す非通知情報を加入者データベース２４経由で移動機管理装置２６に通知する（Ｓ２０４〜Ｓ２０６）。
【００４５】
この通知を受けた移動機管理装置２６は、通知された非通知情報に基づいて、該当する移動機１０の最終位置を加入者データベース２４に問い合わせる（Ｓ２０７）。移動機管理装置２６は、問い合わせた最終位置を加入者データベース２４から取得し、取得した最終位置を含む移動機情報をクライアント端末４０に通知する（Ｓ２０８、Ｓ２０９）。
【００４６】
（３）クライアント端末４０が移動機管理装置２６から移動機管理情報を取得するまでの手順（移動機１０が通信中又はデータ通信中のとき）
図１０は、クライアント端末４０が移動機管理装置２６から移動機管理情報を取得するまでの手順を示す図である。本手順は、移動機１０が通話中又はデータ通信中の場合の処理を示している。
【００４７】
図１０に示すように、先ず、クライアント端末４０が移動機管理情報を要求するための取得要求を移動機管理装置２６に送信する（Ｓ３０１）。クライアント端末４０から取得要求を受信した移動機管理装置２６は、受信した取得要求を移動交換局２３又は加入者データベース２４に送信する（Ｓ３０２）。
【００４８】
移動機管理装置２６から取得要求を受信した移動交換局２３又は加入者データベース２４は、受信した取得要求に基づいて、その取得要求に対応する移動機１０が通話中又はデータ通信中であることを示す情報を該当する移動機管理装置２６に送信する（Ｓ３０３、Ｓ３０４）。この情報を受信した移動機管理装置２６は、受信した情報を含む移動機情報を該当するクライアント端末４０に送信する（Ｓ３０５）。
【００４９】
（４）移動機管理装置２６が加入者データベース２４から移動機１０の最終位置を取得するまでの手順
図１１は、移動機管理装置２６が加入者データベース２４から移動機１０の最終位置を集積するための手順を示す図である。図１１に示すように、移動機１０が基地局制御装置２２に対して移動機１０の位置を登録するための登録要求を行う（Ｓ４０１）。
【００５０】
移動機１０から登録要求を受信した移動交換局２３は、受信した登録要求に基づいて、該当する移動機１０と移動交換局２３との間で認証を行うための処理を行う（Ｓ４０２、Ｓ４０３）。この認証が成立したときは、移動交換局２３は、移動機１０の位置登録を受け付ける（Ｓ４０４）。その後、移動交換局２３は、移動機１０の位置を加入者データベース２４に登録する。移動機管理装置２６は、加入者データベース２４に登録された位置（位置情報）を取得し、取得した位置情報を移動機管理情報データベース２６５に記憶させる（Ｓ４０５）。
【００５１】
（５）移動機管理装置２６が発信時の移動機１０から移動機管理情報を取得するまでの手順
図１２は、移動機管理装置２６が発信時の移動機１０から移動機管理情報を取得するまでの手順を示す図である。図１２に示すように、移動機１０が発信状態の通知を移動交換局２３に対して行う（Ｓ５０１）。発信状態の通知を受けた移動交換局２３は、この通知に基づいて、該当する移動機１０と移動交換局２３との間で通信を行うためのチャネルを割り当てる等の各種処理を行う。
【００５２】
この際、移動交換局２３は、移動機１０の位置登録エリア、受信電力等を含む移動機情報を取得する。この移動機情報を取得した移動交換局２３は、取得した移動機情報を移動機管理装置２６に送信する。移動交換局２３から移動機情報を受信した移動機管理装置２６は、受信した移動機情報を移動機管理情報データベース２６５に記憶させる（Ｓ５０２）。
【００５３】
その後、基地局制御装置２２は、移動機１０から無線状態の報告を数秒間隔で受信し続ける（Ｓ５０３、Ｓ５０４）。基地局制御装置２２が無線状態の報告を移動機１０から受信できないときは、移動交換局２３は、移動機１０における交信が終了したことを示す情報を含む移動機情報を移動機管理装置２６に送信する。この移動機情報を受信した移動機管理装置２６は、受信した移動機情報を移動機管理情報データベース２６５に記憶させる（Ｓ５０５）
（６）移動機管理装置２６が着信時の移動機１０から移動機管理情報を取得するまでの手順
図１３は、移動機管理装置２６が着信時の移動機１０から移動機管理情報を取得するまでの手順を示す図である。図１３に示すように、移動交換局２３が該当する移動機１０を呼び出す処理を行う（Ｓ６０１）。移動交換局２３から呼び出された移動機１０は、移動機１０の着信状態を基地局制御装置２２に通知する（Ｓ６０２）。
【００５４】
この通知を受けた基地局制御装置２２は、該当する移動機１０からの応答があったことを移動交換局２３に通知する（Ｓ６０３）。この応答を受けた移動交換局２３は、該当する移動機１０と移動交換局２３との間で通信を行うためのチャネルを割り当てる等の各種処理を行う。
【００５５】
この際、移動交換局２３は、移動機１０の位置登録エリア、受信電力等を含む移動機情報を取得する。この移動機情報を取得した移動交換局２３は、取得した移動機情報を移動機管理装置２６に送信する。移動交換局２３から移動機情報を受信した移動機管理装置２６は、受信した移動機情報を移動機管理情報データベース２６５に記憶させる（Ｓ６０４）。
【００５６】
その後、基地局制御装置２２は、移動機１０から無線状態の報告を数秒間隔で受信し続ける（Ｓ６０５、Ｓ６０６）。基地局制御装置２２が無線状態の報告を移動機１０から受信できないときは、移動交換局２３は、移動機１０における交信が終了したことを示す情報を含む移動機情報を移動機管理装置２６に送信する。この移動機情報を受信した移動機管理装置２６は、受信した移動機情報を移動機管理情報データベース２６５に記憶させる（Ｓ６０７）。
【００５７】
（７）移動機管理装置２６が移動機１０からアプリケーション情報を取得する際には、移動機管理装置２６は、該当する移動機１０と移動機管理装置２６との間で通常の通信中にアプリケーション情報をその移動機１０から取得する。移動機管理装置２６は、クライアント端末４０からの要求に応じて、該当するアプリケーション情報を移動機管理情報データベース２６５から取得する。移動機管理装置２６は、その取得したアプリケーション情報をクライアント端末４０に送信する。
【００５８】
（移動機管理システム及び移動機管理制御方法による作用及び効果）
このような本願に係る発明によれば、移動機管理装置２６が、移動機１０における位置又は受信電力を含む移動機管理情報を取得することができるので、その移動機１０を管理する企業側は、移動機管理装置２６を通じて移動機１０の移動機管理情報を容易に把握することができる。これにより、企業側が移動機１０を従業員に貸出した際には、企業側は、移動機管理情報に含まれる移動機１０の位置に基づいて、例えば従業員が確実に出張先に出向いているか否かを容易に把握することができる。
【００５９】
また、移動機管理装置２６が移動機１０の内部における処理状態（アプリケーション情報）を記憶することができるので、その移動機１０を管理する企業側は、移動機管理装置２６を通じて移動機１０の処理状態を容易に把握することができる。
【００６０】
これにより、企業側は、移動機１０の処理状態として、例えば利用者側が移動機１０にデータを入力している状態、移動機１０に格納されているデータが表示部に表示されている状態等を容易に把握することができる。この結果、企業側は、現在利用者側では何が行われているのかを容易に把握することができる。
【００６１】
更に、移動機管理装置２６は、認証が成功したクライアント端末４０にのみ該当する移動機管理情報を送信するので、移動機管理情報を管理する際のセキュリティを高めることができる。
【００６２】
【発明の効果】
以上説明したように、本発明によれば、企業側が移動機における送受信以外の状況を容易に把握することができる。この結果、企業側は、例えば移動機を所持する従業者の仕事状況等を容易に把握することができる。
【図面の簡単な説明】
【図１】本実施形態に係る移動機管理システムの内部構成を示すブロック図である。
【図２】本実施形態における移動機管理装置２６の内部構成を示す図である。
【図３】本実施形態における認証データベースに記憶される認証テーブルの内容を示す図である。
【図４】本実施形態における移動機管理情報の内容を示す図である。
【図５】本実施形態における制御データベースに記憶される制御情報テーブルの内容を示す図である。
【図６】本実施形態における移動機管理情報が更新された様子を示す図である。
【図７】本実施形態におけるサービス端末の内部構成を示す図である。
【図８】本実施形態におけるクライアント端末が移動機管理装置から移動機管理情報を取得するまでの手順を示す図である（移動機が移動機交換局からの呼び出し要求に応答した場合）。
【図９】本実施形態におけるクライアント端末が移動機管理装置から移動機管理情報を取得するまでの手順を示す図である（移動機が移動交換局２３からの呼び出し要求に応答しない場合）。
【図１０】本実施形態におけるクライアント端末が移動機管理装置から移動機管理情報を取得するまでの手順を示す図である（移動機が通話中又はデータ通信中の場合）。
【図１１】本実施形態における移動機管理装置が加入者データベースから移動機１０の最終位置を集積するための手順を示す図である。
【図１２】本実施形態における移動機管理装置が発信時の移動機から移動機管理情報を取得するまでの手順を示す図である。
【図１３】本実施形態における移動機管理装置が着信時の移動機から移動機管理情報を取得するまでの手順を示す図である。
【符号の説明】
１０…移動機、２０…移動体通信網、２１…基地局、２２…基地局制御装置、２３…移動交換局、２４…加入者データベース、２５…関門交換局、２６…移動機管理装置、３０…通信ネットワーク、４０…クライアント端末、５０…状態監視装置、６０…サービス端末、６１…送受信部、６２…サービス制御部、６３…アプリケーション情報データベース、７０…ＰＣ／ＰＤＡ、２６１…送受信部、２６２…状態制御部、２６３…認証データベース、２６４…制御データベース、２６５…移動機管理情報データベース、２６６…送受信部
【図１】
2004187046.tif 000003
【図２】
2004187046.tif 000004
【図３】
2004187046.tif 000005
【図４】
2004187046.tif 000006
【図５】
2004187046.tif 000007
【図６】
2004187046.tif 000008
【図７】
2004187046.tif 000009
【図８】
2004187046.tif 000010
【図９】
2004187046.tif 000011
【図１０】
2004187046.tif 000012
【図１１】
2004187046.tif 000013
【図１２】
2004187046.tif 000014
【図１３】
2004187046.tif 000015